(57)【要約】【課題】印刷後の用紙を正式な様式に沿った印刷物として用いることが可能で、かつ、構成が簡素な給紙カートリッジを提供する。【解決手段】この給紙カートリッジ１は、端部に印刷後に切り落とされる余白部２０ｆを含む用紙２０が収納される用紙収納部材２を備えている。用紙収納部材２は、用紙収納部材２の用紙２０の余白部２０ｆが挿入される領域に、少なくとも用紙２０の表裏の誤挿入を防止するための凸部２ｍを含み、用紙２０の余白部２０ｆには、用紙収納部材２の凸部２ｍと対応する形状を有する凹部２０ａが形成されている。【選択図】図９
2008273706.tif 000002
【特許請求の範囲】
【請求項１】
印刷後に切り落とされる余白部を端部に含む用紙が収納される用紙収納部を備え、
前記用紙収納部は、前記用紙収納部の前記用紙の余白部が挿入される内周面の領域に、少なくとも前記用紙の表裏の誤挿入を防止するための誤挿入防止形状部を含み、
前記用紙の余白部には、前記用紙収納部の誤挿入防止形状部と対応する形状を有する誤挿入防止部が形成されている、給紙カートリッジ。
【請求項２】
前記用紙収納部の外周面の前記誤挿入防止形状部に対応する部分は、前記誤挿入防止形状部と実質的に同一形状を有するように形成されている、請求項１に記載の給紙カートリッジ。
【請求項３】
前記用紙収納部は、平面的に視て実質的に矩形状に形成されており、
前記用紙収納部の誤挿入防止形状部は、前記矩形状の用紙収納部の内周面の４つの隅部のうちのいずれか１つの隅部に内側に突出する凸部を有するように設けられており、
前記用紙の余白部の前記用紙収納部の誤挿入防止形状部に対応する前記誤挿入防止部には、前記誤挿入防止形状部の凸部に対応する凹部が設けられている、請求項１または２に記載の給紙カートリッジ。
【請求項４】
前記用紙収納部の誤挿入防止形状部は、前記用紙が搬送される方向とは反対方向側の隅部のいずれか片方に設けられており、
前記誤挿入防止形状部は、前記用紙の表裏のみならず前記用紙の前後の誤挿入を防止するように構成されている、請求項１〜３のいずれか１項に記載の給紙カートリッジ。
【請求項５】
印字部を含む装置本体と、
印刷後に切り落とされる余白部を端部に含む用紙が収納され、前記用紙の余白部が挿入される内周面の領域に、少なくとも前記用紙の表裏の誤挿入を防止するための誤挿入防止形状部を有する用紙収納部を含み、かつ、前記装置本体に着脱可能に装着される給紙カートリッジとを備え、
前記用紙の余白部には、前記用紙収納部の誤挿入防止形状部と対応する形状を有する誤挿入防止部が形成されている、画像形成装置。
【発明の詳細な説明】
【技術分野】
【０００１】
この発明は、給紙カートリッジに関し、特に、画像形成装置に供給する用紙を収納するための用紙収納部を備えた給紙カートリッジに関する。
【背景技術】
【０００２】
従来、画像形成装置に供給する用紙を収納するための用紙収納部材を備えた給紙カートリッジが知られている（たとえば、特許文献１および２参照）。
【０００３】
上記特許文献１には、記録シート（用紙）の４つの角のうち少なくとも１つの角を記録シートの給紙方向に平行なシートの中心線に対して非対称形状になるように切り落とした記録シートと、その記録シートの形状に対応する突起部を有するカセット（給紙カートリッジ）とが開示されている。また、上記特許文献１による記録シートは、突起部に対応するようにカセットに収納されている。
【０００４】
また、上記特許文献２には、はがき（用紙）の表面の左上部に付与されているマーク（たとえば切手または切手マーク）を検知するマーク検知センサを備えた画像出力装置（画像形成装置）が開示されている。上記特許文献２による画像出力装置は、はがきの印字動作の際に、通常はがきの表面の左上部に付与されている切手または切手マークが検知されたか否かを判断することによって、はがきに印字するか否かを判断するように構成されている。具体的には、上記特許文献２による画像出力装置は、はがきの印字動作の際、マーク検知センサがはがきの表面の左上部に付与されている切手または切手マークを検知した場合には、はがきの表面に印字する一方、マーク検知センサがはがきの表面の左上部に付与されている切手または切手マークを検知しなかった場合には、はがきの表面に印字せずに排紙するように構成されている。
【０００５】
【特許文献１】特開平４−２７６４７３号公報
【特許文献２】特開２００２−２２６０８４号公報
【発明の開示】
【発明が解決しようとする課題】
【０００６】
しかしながら、上記特許文献１に記載のカセット（給紙カートリッジ）では、記録シート（用紙）の４つの角のうち少なくとも１つの角が切り落とされているので、記録（印刷）後の記録シートの形状が矩形状にならないため、記録後の記録シートを正式な様式に沿った印刷物として用いるのが困難であるという問題点がある。
【０００７】
また、上記特許文献２に記載の画像出力装置（画像形成装置）では、はがきの表面の左上部に付与されている切手または切手マークを検知するためのマーク検知センサを必要とするため、画像出力装置の構成が複雑になるという問題点がある。
【０００８】
この発明は、上記のような課題を解決するためになされたものであり、この発明の１つの目的は、印刷後の用紙を正式な様式に沿った印刷物として用いることが可能で、かつ、構成を簡素化することが可能な給紙カートリッジおよびそれを備えた画像形成装置を提供することである。
【課題を解決するための手段および発明の効果】
【０００９】
この発明の第１の局面による給紙カートリッジは、印刷後に切り落とされる余白部を端部に含む用紙が収納される用紙収納部を備え、用紙収納部は、用紙収納部の用紙の余白部が挿入される内周面の領域に、少なくとも用紙の表裏の誤挿入を防止するための誤挿入防止形状部を含み、用紙の余白部には、用紙収納部の誤挿入防止形状部と対応する形状を有する誤挿入防止部が形成されている。
【００１０】
この第１の局面による給紙カートリッジでは、上記のように、印刷後に切り落とされる余白部に用紙収納部の誤挿入防止形状部と対応する形状を有する誤挿入防止部を形成することによって、印刷後に、誤挿入防止部を余白部とともに用紙の印刷された領域から切り落とすことができるので、印刷後の用紙を、矩形状に形成することができる。これにより、印刷後の用紙を、正式な様式に沿った印刷物として用いることができる。また、用紙収納部の用紙の余白部が挿入される領域に、少なくとも用紙の表裏の誤挿入を防止するための誤挿入防止形状部を設けることによって、用紙収納部に用紙の表裏を誤って挿入することを抑制することができるので、用紙の表裏を検知するためのセンサを設ける必要がない。その結果、給紙カートリッジを備える画像形成装置の構成を簡素化することができる。
【００１１】
上記第１の局面による給紙カートリッジにおいて、好ましくは、用紙収納部の外周面の誤挿入防止形状部に対応する部分は、誤挿入防止形状部と実質的に同一形状を有するように形成されている。このように構成すれば、ユーザーが用紙収納部に用紙を配置する際に、用紙収納部の誤挿入防止形状部が形成されている部分を、用紙収納部の外形形状（外周面形状）により外観的に視認することができるので、用紙収納部に用紙の表裏を誤って挿入することをより抑制することができる。
【００１２】
上記第１の局面による給紙カートリッジにおいて、好ましくは、用紙収納部は、平面的に視て実質的に矩形状に形成されており、用紙収納部の誤挿入防止形状部は、矩形状の用紙収納部の内周面の４つの隅部のうちのいずれか１つの隅部に内側に突出する凸部を有するように設けられており、用紙の余白部の用紙収納部の誤挿入防止形状部に対応する誤挿入防止部には、誤挿入防止形状部の凸部に対応する凹部が設けられている。このように構成すれば、用紙収納部の凸部からなる誤挿入防止形状部と、用紙の余白部の凹部からなる誤挿入防止部とにより、容易に、用紙の誤挿入を防止することができる。
【００１３】
上記第１の局面による給紙カートリッジにおいて、好ましくは、用紙収納部の誤挿入防止形状部は、用紙が搬送される方向とは反対方向側の隅部のいずれか片方に設けられており、誤挿入防止形状部は、用紙の表裏のみならず用紙の前後の誤挿入を防止するように構成されている。このように構成すれば、たとえば、はがきのように表裏のみならず前後方向が規定される用紙を、用紙収納部に誤挿入するのを抑制することができる。
【００１４】
この発明の第２の局面による画像形成装置は、印字部を含む装置本体と、印刷後に切り落とされる余白部を端部に含む用紙が収納され、用紙の余白部が挿入される内周面の領域に、少なくとも用紙の表裏の誤挿入を防止するための誤挿入防止形状部を有する用紙収納部を含み、かつ、装置本体に着脱可能に装着される給紙カートリッジとを備え、用紙の余白部には、用紙収納部の誤挿入防止形状部と対応する形状を有する誤挿入防止部が形成されている。
【００１５】
この第２の局面による画像形成装置では、上記のように、印刷後に切り落とされる余白部に用紙収納部の誤挿入防止形状部と対応する形状を有する誤挿入防止部を給紙カートリッジに形成することによって、印刷後に、誤挿入防止部を余白部とともに用紙の印刷された領域から切り落とすことができるので、印刷後の用紙を、矩形状に形成することができる。これにより、印刷後の用紙を、正式な様式に沿った印刷物として用いることができる。また、給紙カートリッジの用紙収納部の用紙の余白部が挿入される領域に、少なくとも用紙の表裏の誤挿入を防止するための誤挿入防止形状部を設けることによって、用紙収納部に用紙の表裏を誤って挿入することを抑制することができるので、用紙の表裏を検知するためのセンサを設ける必要がない。その結果、給紙カートリッジを備える画像形成装置の構成を簡素化することができる。
【発明を実施するための最良の形態】
【００１６】
以下、本発明を具体化した実施形態を図面に基づいて説明する。
【００１７】
図１は、本発明の一実施形態による給紙カートリッジを昇華型プリンタに取り付けた状態の全体構造を示した斜視図である。図２は、図１に示した本発明の一実施形態による給紙カートリッジを昇華型プリンタから取り外した状態の全体構造を示した斜視図である。また、図３〜図７は、図１に示した本発明の一実施形態による給紙カートリッジの構造の詳細を示した図である。図８および図９は、図１に示した一実施形態による給紙カートリッジの用紙収納部材に配置された用紙を示した平面図である。まず、図１〜図９を参照して、本発明の一実施形態による給紙カートリッジ１および用紙２０の構成について説明する。なお、本実施形態では、画像形成装置の一例である昇華型プリンタ１０に装着される給紙カートリッジ１に本発明を適用した場合について説明する。
【００１８】
本発明の一実施形態による給紙カートリッジ１は、図１および図２に示すように、昇華型プリンタ１０の装置本体１１の用紙供給口１１ａ（図１参照）に対して着脱可能に構成されている。この給紙カートリッジ１は、図３〜図５に示すように、用紙収納部材２と、開閉可能な蓋部材３と、用紙押上げ部材４とを含んでいる。なお、用紙収納部材２は、本発明の「用紙収納部」の一例である。また、昇華型プリンタ１０は、図２に示すように、印字部１１ｂを含む装置本体１１と、昇華型プリンタ１０に供給される用紙２０（図１参照）を１枚ずつ分離する用紙分離部材１２と、給紙カートリッジ１の用紙押上げ部材４を押上げる押上げレバー１３と、用紙２０を昇華型プリンタ１０の内部に搬送するための給紙ローラ１４と、印刷された用紙２０を外部に排紙する２つの排紙ローラ１５とを含んでいる。
【００１９】
昇華型プリンタ１０の押上げレバー１３は、給紙カートリッジ１が装置本体１１に装着されている場合に、用紙押上げ部材４の下部を支持するように構成されている。この押上げレバー１３は、用紙押上げ部材４を上方に持ち上げることにより、用紙押上げ部材４の上部に配置されている用紙２０（図１参照）の前方（矢印Ｘ１方向）部を給紙ローラ１４に当接させる機能を有する。また、給紙ローラ１４は、押上げレバー１３が用紙押上げ部材４を上方に持ち上げている際に、給紙ローラ１４に当接している用紙２０が装置本体１１の内部に搬送される方向に回転するように構成されている。
【００２０】
また、用紙収納部材２は、図６および図７に示すように、昇華型プリンタ１０（図１参照）に供給される用紙２０（図７参照）を収納するために設けられている。この用紙収納部材２は、平面的に視て実質的に矩形状に形成されており、実質的に矩形状の底面と、実質的に矩形状の底面の外縁部分から垂直上方向に延びる側面とを含んでいる。用紙収納部材２の底面には、用紙２０（図７参照）が載置される用紙載置部２ａが設けられている。また、用紙載置部２ａの矢印Ｘ１方向側の端部には、昇華型プリンタ１０の用紙分離部材１２（図２参照）に嵌め込まれる一対の凹部２ｂが形成されている。また、用紙載置部２ａの凹部２ｂの矢印Ｘ２方向側には、後述する用紙押上げ部材４の係合部４ａ（図６参照）と係合する一対の取付穴部２ｃ（図６参照）が設けられている。
【００２１】
また、用紙収納部材２の矢印Ｘ１方向側には、用紙供給口１１ａ（図１参照）内に挿入されるプリンタ挿入部２ｄが設けられている。また、このプリンタ挿入部２ｄに対応する部分において矢印Ｙ１方向側および矢印Ｙ２方向側の外側面には、それぞれ、外側に突出する係合片２ｅが設けられている。これらの係合片２ｅが昇華型プリンタ１０に設けられた係合部（図示せず）に係合するとともに、底面の一対の凹部２ｂが昇華型プリンタ１０の用紙分離部材１２（図２参照）に嵌合することによって、給紙カートリッジ１を、用紙供給口１１ａに対して着脱可能に固定することが可能となる。
【００２２】
また、用紙収納部材２の矢印Ｙ１方向側の側面の矢印Ｙ１方向側と矢印Ｙ２方向側の側面の矢印Ｙ２方向側とには、それぞれ、蓋部材３を取り付けるための取付部２ｆが設けられている。これら取付部２ｆは、それぞれ、用紙収納部材２の矢印Ｙ１方向側の側面の外側面（矢印Ｙ１方向側の面）と矢印Ｙ２方向側の側面の外側面（矢印Ｙ２方向側の面）とに、対向するように配置されているとともに、各外側面に対して所定の間隔を隔てて配置されている。また、取付部２ｆは、それぞれ、連結部２ｇによって、用紙収納部材２に連結されている。また、矢印Ｙ１方向側の取付部２ｆの矢印Ｙ２方向側の面および矢印Ｙ２方向側の取付部２ｆの矢印Ｙ２方向側の面の矢印Ｘ１方向側には、凹凸形状の把持部２ｈが形成されている。また、矢印Ｙ１方向側の取付部２ｆの矢印Ｙ２方向側の面と矢印Ｙ２方向側の取付部２ｆの矢印Ｙ１方向側の面との矢印Ｘ２方向側には、それぞれ、後述する蓋部材３の長穴部３ａ（図５参照）と係合する軸部２ｉが設けられている。
【００２３】
また、用紙収納部材２の矢印Ｙ１方向側の側面には、用紙付勢部２ｊが設けられており、用紙付勢部２ｊの矢印Ｙ１方向側の取付部２ｆに対向する面には突起片２ｋが設けられている。この突起片２ｋは、後述する蓋部材３の押圧部３ｃ（図５参照）により、矢印Ｙ２方向側に向かって押圧されるように構成されている。また、用紙付勢部２ｊは、突起片２ｋが矢印Ｙ２方向に押圧された際に、矢印Ｙ２方向に移動するように構成されている。これにより、用紙載置部２ａに載置された用紙２０を、用紙収納部材２の矢印Ｙ２方向側の内側面に付勢することが可能となるので、用紙２０が用紙載置部２ａの矢印Ｙ１方向および矢印Ｙ２方向にずれるのを抑制することが可能となる。
【００２４】
ここで、本実施形態では、用紙収納部材２の各側面が交差する４つの隅部２ｌのうち、矢印Ｙ１方向側の側面と矢印Ｘ２方向側の側面とが交差する隅部２ｌの内側面（内周面）側は、他の３つの矩形状の隅部２ｌとは異なり、用紙載置部２ａ側（内側）に突出する凸部２ｍを有する傾斜面形状に形成されている。この凸部２ｍは、用紙収納部材２の矢印Ｙ１方向側の内側面の矢印Ｘ２方向側と矢印Ｘ２方向側の内側面の矢印Ｙ１方向側とを平面により接続するように形成されている。なお、凸部２ｍは、本発明の「誤挿入防止形状部」の一例である。
【００２５】
また、本実施形態では、用紙収納部材２の外側面（外周面）の凸部２ｍに対応する部分２ｎは、内側面に設けられた凸部２ｍと実質的に同一の傾斜面形状を有するように構成されている。つまり、用紙収納部材２の外側面（外周面）の凸部２ｍに対応する部分２ｎは、内側面に設けられた凸部２ｍに平行な平面状に形成されている。つまり、本実施形態による用紙収納部材２は、ユーザーが用紙２０を用紙載置部２ａに配置する際に、用紙収納部材２の形状の視認性を高められるように構成されている。
【００２６】
また、本実施形態では、用紙収納部材２の凸部２ｍは、図７に示すように、用紙載置部２ａに載置される用紙２０の表裏の誤挿入および前後の誤挿入を防止するために設けられている。具体的には、用紙２０には、用紙２０を表面から視て、用紙２０の４つの角部のうち用紙２０の後端（矢印Ｘ２方向）部の矢印Ｙ１方向側の角部が切り落とされることにより形成された凹部（傾斜面部）２０ａが設けられている。この凹部（傾斜面部）２０ａは、用紙収納部材２の凸部２ｍの形状に対応するように形成されており、用紙２０が用紙載置部２ａに対して用紙２０の表面を上側で、かつ、凹部２０ａが用紙収納部材２の凸部２ｍに対応する方向側に位置しない場合、用紙２０は、用紙載置部２ａに収まらないように構成されている。なお、凹部２０ａは、本発明の「誤挿入防止部」の一例である。
【００２７】
また、本実施形態では、図８に示すように、用紙２０の矢印Ｘ１方向側および矢印Ｘ２方向側の端部近傍には、それぞれ、矢印Ｙ１方向側の端部と矢印Ｙ２方向側の端部との間を直線状に結ぶミシン目２０ｂおよび２０ｃが設けられている。ミシン目２０ｂは、用紙２０の矢印Ｘ１方向側の端部から所定の距離を隔てて形成されているとともに、ミシン目２０ｃは、用紙２０の矢印Ｘ２方向側の端部から所定の距離を隔てて形成されている。また、用紙２０のミシン目２０ｂよりも矢印Ｘ１方向側の領域の余白部２０ｄは、図９に示すように、印刷後、ミシン目２０ｂに沿って、用紙２０のミシン目２０ｂよりも矢印Ｘ２方向側の印刷領域２０ｅから切り落とし可能に構成されている。また、用紙２０のミシン目２０ｃよりも矢印Ｘ２方向側の領域の余白部２０ｆも、印刷後、ミシン目２０ｃに沿って、用紙２０のミシン目２０ｃよりも矢印Ｘ１方向側の印刷領域２０ｅから切り落とし可能に構成されている。また、用紙２０の凹部２０ａは、余白部２０ｆの領域内に収まるように形成されており、用紙２０の印刷後、余白部２０ｆが印刷領域２０ｅから切り落とされた際に、凹部２０ａは、余白部２０ｆとともに用紙２０の印刷領域２０ｅから切り落とされるように構成されている。なお、用紙２０の余白部２０ｄおよび２０ｆは、それぞれ、印刷後にユーザーにより切り離されるように構成されている。
【００２８】
本実施形態では、上記のように用紙２０を構成することによって、印刷後、ユーザーにより余白部２０ｄおよび２０ｆが切り離された印刷領域２０ｅを、矩形状に形成することが可能となる。これにより、印刷後の用紙２０を、たとえば、矩形状に形成された他の種類の用紙と一緒に保存することが可能となる。
【００２９】
また、蓋部材３は、図３および図４に示すように、用紙収納部材２に対して開閉可能に取り付けられており、用紙収納部材２の内部に埃などが侵入するのを抑制するために設けられている。蓋部材３は、図５に示すように、矢印Ｙ１方向側および矢印Ｙ２方向側に、それぞれ、用紙収納部材２の底面に対して垂直な側面を有する。また、この蓋部材３の矢印Ｙ１方向側および矢印Ｙ２方向側の側面の矢印Ｘ２方向側には、それぞれ、長穴部３ａが形成されている。これら長穴部３ａは、それぞれ、矢印Ｘ１方向および矢印Ｘ２方向に延びるように形成されており、各長穴部３ａには、用紙収納部材２の軸部２ｉが矢印Ｘ１方向および矢印Ｘ２方向にスライド可能に取り付けられている。また、蓋部材３は、蓋部材３が矢印Ｘ２方向にスライドされた際に、用紙収納部材２に対して開口可能に構成されている。また、蓋部材３の矢印Ｙ１方向側および矢印Ｙ２方向側の側面の矢印Ｘ１方向側には、それぞれ、給紙カートリッジ１が閉じた状態のときに用紙収納部材２の係合片２ｅと係合する穴部３ｂが形成されている。また、蓋部材３の矢印Ｙ１方向側の側面の用紙付勢部２ｊの突起片２ｋと対向する面には、用紙付勢部２ｊの突起片２ｋを押圧するための押圧部３ｃが設けられている。
【００３０】
また、用紙押上げ部材４の矢印Ｘ２方向側の端部には、図５および図６に示すように、用紙収納部材２の一対の取付穴部２ｃに回動可能に係合する係合部４ａが一体的に形成されている。また、用紙押上げ部材４の裏面には、用紙収納部材２の用紙載置部２ａに対向する面に用紙２０（図１参照）をより上部に押し上げるための突起部４ｂが一体的に形成されている。これら突起部４ｂは、昇華型プリンタ１０の押上げレバー１３（図６参照）の上面に当接する位置に形成されている。また、用紙押上げ部材４の矢印Ｘ１方向側の端部には、用紙収納部材２の凹部２ｂに対応するように一対の切欠部４ｃが形成されている。これら一対の切欠部４ｃは、給紙カートリッジ１を昇華型プリンタ１０に装着させる際に、昇華型プリンタ１０の用紙分離部材１２と用紙押上げ部材４とが当接するのを抑制する機能を有する。
【００３１】
本実施形態では、上記のように、印刷後に切り落とされる余白部２０ｆに用紙収納部材２の凸部２ｍと対応する形状を有する凹部２０ａを形成することによって、印刷後に、凹部２０ａを余白部２０ｆとともに用紙２０の印刷された印刷領域２０ｅから切り落とすことができるので、印刷後の用紙２０を、矩形状に形成することができる。これにより、印刷後の用紙２０を、正式な様式に沿った印刷物として用いることができる。また、用紙収納部材２の用紙２０の余白部２０ｆが挿入される領域に、少なくとも用紙２０の表裏の誤挿入を防止するための凸部２ｍを設けることによって、用紙収納部材２に用紙２０の表裏を誤って挿入することを抑制することができるので、用紙２０の表裏を検知するためのセンサを設ける必要がない。その結果、給紙カートリッジ１を備える昇華型プリンタ１０の構成を簡素化することができる。
【００３２】
また、本実施形態では、用紙収納部材２の外周面の凸部２ｍに対応する部分２ｎを、凸部２ｍと実質的に同一形状を有するように形成することによって、用紙収納部材２の凸部２ｍが形成されている部分を、用紙収納部材２の外形形状（外周面形状）により外観的に視認することができるので、用紙収納部材２に用紙２０の表裏を誤って挿入することをより抑制することができる。
【００３３】
また、本実施形態では、用紙２０の余白部２０ｆの用紙収納部材２の凸部２ｍに対応する部分に、凸部２ｍに対応する凹部２０ａを設けることによって、用紙収納部材２に誤挿入を防止する凸部２ｍと、用紙２０の余白部２０ｆに誤挿入を防止する凹部２０ａとにより、容易に、用紙２０の誤挿入を防止することができる。
【００３４】
また、本実施形態では、用紙収納部材２の凸部２ｍを、用紙２０が搬送される方向とは反対方向側の隅部２ｌの矢印Ｙ１方向側の内側面の矢印Ｘ２方向側と矢印Ｘ２方向側の内側面の矢印Ｙ１方向側とを平面により接続するように設けるとともに、凸部２ｍを、用紙２０の表裏のみならず用紙の前後（矢印Ｘ１方向および矢印Ｘ２方向）の誤挿入を防止するように構成することによって、たとえば、はがきのように表裏のみならず前後方向が規定される用紙を、用紙収納部材２に誤挿入するのを抑制することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
たとえば、上記実施形態では、画像形成装置の一例としての昇華型プリンタに装着される給紙カートリッジに本発明を適用する例を示したが、本発明はこれに限らず、昇華型プリンタ以外の他の画像形成装置に装着される給紙カートリッジについても適用可能である。
【００３７】
また、上記実施形態では、用紙載置部に用紙を配置する際に用紙の誤挿入を防止するための凸部を、隅部に設けた例を示したが、本発明はこれに限らず、用紙載置部に用紙を配置する際に用紙の誤挿入を防止するための凸部を、隅部以外の部分に設けてもよい。ただし、凸部は、矩形状の用紙の対角線の中心に対して対称とならないように形成された凹部に対応する部分に設けられるように構成する。
【００３８】
また、上記実施形態では、用紙の余白部を切り落とすためのミシン目を、用紙の前後方向（矢印Ｘ１方向および矢印Ｘ２方向）の両方に設けた例を示したが、本発明はこれに限らず、用紙の余白部を切り落とすためのミシン目を、用紙載置部に用紙を配置する際に、用紙の誤挿入を防止するための凸部に対応する凹部が形成されている方のみに設けるようにして、凹部が形成されている側の余白部のみを切り落とすようにしてもよい。
【図面の簡単な説明】
【００３９】
【図１】本発明の一実施形態による給紙カートリッジを昇華型プリンタに取り付けた状態の全体構造を示した斜視図である。
【図２】本発明の一実施形態による給紙カートリッジを昇華型プリンタから取り外した状態の全体構造を示した斜視図である。
【図３】図１に示した一実施形態による給紙カートリッジの蓋部材が用紙収納部材に対してスライドした状態を示した斜視図である。
【図４】図１に示した一実施形態による給紙カートリッジの蓋部材が用紙収納部材に対して開いた状態を示した斜視図である。
【図５】図１に示した一実施形態による給紙カートリッジを示した分解斜視図である。
【図６】図１に示した一実施形態による給紙カートリッジの用紙収納部材を示した平面図である。
【図７】図１に示した一実施形態による給紙カートリッジの用紙収納部材に用紙が配置された状態を示した平面図である。
【図８】図１に示した一実施形態による給紙カートリッジの用紙収納部材に配置された用紙を示した平面図である。
【図９】図１に示した一実施形態による給紙カートリッジの用紙収納部材に配置された用紙の余白部を切り落とした状態を示した平面図である。
【符号の説明】
【００４０】
１  給紙カートリッジ
２  用紙収納部材（用紙収納部）
２ｌ  隅部
２ｍ  凸部（誤挿入防止形状部）
２ｎ  部分
１０  昇華型プリンタ（画像形成装置）
１１  装置本体
１１ｂ  印字部
２０  用紙
２０ａ  凹部（誤挿入防止部）
２０ｆ  余白部
【図１】
2008273706.tif 000003
【図２】
2008273706.tif 000004
【図３】
2008273706.tif 000005
【図４】
2008273706.tif 000006
【図５】
2008273706.tif 000007
【図６】
2008273706.tif 000008
【図７】
2008273706.tif 000009
【図８】
2008273706.tif 000010
【図９】
2008273706.tif 000011